(57)【要約】      （修正有）【課題】ユーザーの要望に応じて２つのスライドレールを同じ位置に又は異なる位置に位置することができるようにすることが可能なスライドレールアセンブリを提供する。【解決手段】開示するスライドレールアセンブリは第１のレールと、第２のレールと、フィッティング部材とを含む。第２のレール及び第１のレールはお互いに対して可動である。フィッティング部材は第１のレール及び第２のレールのうちの一方に取り外し可能に取り付けられている。フィッティング部材は、第２のレールが第１のレールに対して引っ込められている場合に第２のレールが同じ位置に位置するようにブロック部材として第２のレールをブロックするように構成されている。あるいは、フィッティング部材は調節装置として第２のレールの位置を調節するように構成され、第２のレールが第１のレールに対して引っ込められている場合に調節装置の調節により異なる位置に位置することができる。【選択図】図１
2019146952.tif 000002
【特許請求の範囲】
【請求項１】
第１のレールと、
前記第１のレールに対して長手方向に移動可能な第２のレールと、
前記第１のレール及び前記第２のレールのうちの一方に配置されるブロック構造と、
前記第１のレール及び前記第２のレールのうちの他方に取り外し可能に取り付けられるフィッティング部材と、
を含むスライドレールアセンブリであって、
前記フィッティング部材が前記第１のレール及び前記第２のレールのうちの前記他方に取り付けられ且つ前記第２のレールが前記第１のレールに対して引っ込められている場合、前記フィッティング部材が前記ブロック構造に当接することを通じて前記第２のレールは前記第１のレールに対して１つの所定の長手方向位置に又は複数の所定の長手方向位置に位置することができる、スライドレールアセンブリ。
【請求項２】
前記スライドレールアセンブリはベースをさらに含み、該ベースは前記第１のレール及び前記第２のレールのうちの前記他方に接続され、前記フィッティング部材は前記ベースに取り外し可能に取り付けられる、請求項１に記載のスライドレールアセンブリ。
【請求項３】
前記フィッティング部材はブロック部材であり、
前記ブロック部材が前記ベースに取り付けられ且つ前記第２のレールが前記第１のレールに対して引っ込められている場合、前記ブロック部材が前記ブロック構造に当接することを通じて前記第２のレールは前記１つの所定の長手方向位置に位置することができ、前記ブロック部材は弾性材料でできている、請求項２に記載のスライドレールアセンブリ。
【請求項４】
前記フィッティング部材は調節装置であり、
前記調節装置は取り付け部材及び調節部材を含み、該取り付け部材と該調節部材とは、前記調節装置の長さを調節することができるように互いに調節可能に接続され、
前記取り付け部材は前記ベースに取り付け可能であり、前記調節部材は前記第２のレールが前記第１のレールに対して引っ込められている場合に前記ブロック構造に当接する、請求項２に記載のスライドレールアセンブリ。
【請求項５】
前記調節部材が前記取り付け部材に対してまだ調節されていない場合、前記調節装置は所定の長さを有し、
前記第２のレールが前記第１のレールに対して引っ込められている場合、前記調節装置は前記第２のレールが前記第１のレールに対して所定の長手方向位置に位置するように前記ブロック構造に当接し、
前記調節部材が前記取り付け部材に対して調節されている場合、前記調節装置は別の長さを有し、
前記第２のレールが前記第１のレールに対して引っ込められている場合、前記調節装置は前記第２のレールが前記第１のレールに対して別の長手方向位置に位置するように前記ブロック構造に当接する、請求項４に記載のスライドレールアセンブリ。
【請求項６】
前記取り付け部材と前記調節部材とが互いにネジ留めされている、請求項４に記載のスライドレールアセンブリ。
【請求項７】
前記ベースは接続部及び複数の壁を含み、該複数の壁は該接続部を通じて前記第１のレール及び前記第２のレールのうちの前記他方に接続され、
前記複数の壁により空間が定義され、前記複数の壁により非円形の輪郭が形成され、前記フィッティング部材が取り外し可能に取り付けられるように構成され、
前記第１のレール及び前記第２のレールのそれぞれは前部及び後部を含み、前記ベースは前記第１のレール及び前記第２のレールのうちの前記他方に接続されるとともに該前部に隣接して位置する、請求項２に記載のスライドレールアセンブリ。
【請求項８】
家具システムに適用可能なスライドレールアセンブリであって、該家具システムは第１の家具部材及び第２の家具部材を含み、該第１の家具部材及び該第２の家具部材は当該スライドレールアセンブリを通じて互いに取り付けられ、当該スライドレールアセンブリは、
前記第１の家具部材に固定取り付けされる第１のレールと、
前記第２の家具部材を保持する第２のレールと、
前記第１のレール及び前記第２のレールのうちの一方に配置されるブロック構造と、
前記第１のレール及び前記第２のレールのうちの他方に取り外し可能に取り付けられるフィッティング部材と、
を含み、
前記フィッティング部材が前記第１のレール及び前記第２のレールのうちの前記他方に取り付けられ且つ前記第２の家具部材が前記第１の家具部材に対して引っ込められている場合、前記フィッティング部材が前記ブロック構造に当接することを通じて前記第２の家具部材は前記第１のレールに対して１つの所定の長手方向位置に又は複数の所定の長手方向位置に位置することができる、スライドレールアセンブリ。
【請求項９】
前記フィッティング部材はブロック部材であり、
前記第２のレールが前記第１のレールに対して引っ込められている場合、前記ブロック部材が前記ブロック構造に当接することを通じて前記第２のレールは前記１つの所定の長手方向位置に位置することができる、請求項８に記載のスライドレールアセンブリ。
【請求項１０】
前記フィッティング部材は調節装置であり、
前記調節装置は取り付け部材及び調節部材を含み、該取り付け部材と該調節部材とは調節可能に互いに接続され、
前記第２のレールが前記第１のレールに対して引っ込められている場合、前記調節部材は前記ブロック構造に当接する、請求項８に記載のスライドレールアセンブリ。
【発明の詳細な説明】
【技術分野】
【０００１】
本発明は、家具システムに適用可能なスライドレールアセンブリに関し、より具体的には、ユーザーの要望に応じたスライドレールアセンブリの取り付けを可能にするフィッティング部材（fitting  member）に関する。
【背景技術】
【０００２】
一般に、スライドレールアセンブリは、広範囲の用途において実施される。例えば、スライドレールアセンブリは、家具システムに又は電子機器のためのラックシステムに適用できる。家具システムに適用されたスライドレールアセンブリを例に取ってみる。スライドレールアセンブリは、固定レールと、固定レールに対して長手方向に移動可能なスライドレールとを含む。固定レールは、通常、キャビネットに固定的に取り付けられ、スライドレールは、引き出しをキャビネットに対して動かすことができるように引き出しを保持するように構成されている。
【０００３】
しかしながら、市場には様々な要望がある。この点を説明するために、第１の種類の要望では、引き出し（スライドレール）は、引き出しがキャビネット（固定レール）に対して引っ込められるときに同じ位置に位置することが望ましい。あるいは、許容誤差（tolerance）を考慮した第２の種類の要望では、引き出し（スライドレール）は、引き出しとキャビネット（固定レール）との間の深さを調整する調整機構を有することが望ましい。したがって、引き出し（スライドレール）がキャビネットに対して引っ込めた場合に、引き出しは異なる位置（すなわち、異なる長手方向位置）に位置することができる。上述した調節機構は、引き出し（スライドレール）とキャビネット（固定レール）との間の許容誤差の低減の問題に関するものであってもよい。
【０００４】
関連する先行技術では、特許文献１に引き出しのためのスライドレールアセンブリに引き出しをリリース可能に接続することができる装置（７）が開示されている。引き出し（２）が取り付けられた状態にあるとき、引き出しは弾性領域（１２）を通じてスライドレール（５）の保持部（１３）に接触できる。
弾性領域（１２）は、装置（７）の支持ベース（１１）及びスライドレール（５）の保持部（１３）のためのクッションである。そのため、取り付けプロセスの間の引き出し（２）とスライドレール（５）との間の長さの許容誤差が解消され得る。ここでは、上記の特許文献が参考として含まれる。
【先行技術文献】
【特許文献】
【０００５】
【特許文献１】米国特許第８４２４９８４号明細書
【特許文献２】米国特許第９７４３７６６号明細書
【発明の概要】
【０００６】
本発明は、２つのスライドレールがお互いに対して引っ込められた場合に、ユーザーの要望に応じて２つのスライドレールを同じ位置に又は異なる位置に位置することができるようにすることが可能な、家具システムに適用できるスライドレールアセンブリを提供する。
【課題を解決するための手段】
【０００７】
本発明の一態様によれば、スライドレールアセンブリは第１のレールと、第２のレールと、ブロック構造と、フィッティング部材とを含む。第２のレールは第１のレールに対して長手方向に移動可能である。ブロック構造は第１のレール及び第２のレールのうちの一方に配置される。フィッティング部材は第１のレール及び第２のレールのうちの他方に取り外し可能に取り付けられる。フィッティング部材が第１のレール及び第２のレールのうちの前記他方に取り付けられ且つ第２のレールが第１のレールに対して引っ込められている場合、フィッティング部材がブロック構造に当接することを通じて第２のレールは第１のレールに対して１つの所定の長手方向位置に又は複数の所定の長手方向位置に位置することができる。
【０００８】
本発明の別の態様によれば、スライドレールアセンブリは第１のレールと、第２のレールと、ブロック構造と、調節装置とを含む。第２のレールは第１のレールに対して長手方向に移動可能である。ブロック構造は第１のレール及び第２のレールのうちの一方に配置される。調節装置は第１のレール及び第２のレールのうちの他方に取り外し可能に取り付けられ、調節装置は取り付け部材及び調節部材を含み、該取り付け部材と該調節部材とは、調節装置の長さを調節することができるように互いに調節可能に接続される。調節装置は第２のレールが第１のレールに対して引っ込められている場合にブロック構造に当接する。
【０００９】
本発明の別の態様によれば、スライドレールアセンブリは家具システムに適用可能である。家具システムは第１の家具部材及び第２の家具部材を含む。第１の家具部材及び第２の家具部材はスライドレールアセンブリを通じて互いに取り付けられる。スライドレールアセンブリは第１のレールと、第２のレールと、ブロック構造と、フィッティング部材とを含む。第１のレールは第１の家具部材に固定取り付けされる。第２のレールは第２の家具部材を保持する。ブロック構造は第１のレール及び前記第２のレールのうちの一方に配置される。フィッティング部材は第１のレール及び第２のレールのうちの他方に取り外し可能に取り付けられる。フィッティング部材が第１のレール及び第２のレールのうちの前記他方に取り付けられ且つ第２の家具部材が第１の家具部材に対して引っ込められている場合、フィッティング部材がブロック構造に当接することを通じて第２の家具部材は第１のレールに対して１つの所定の長手方向位置に又は複数の所定の長手方向位置に位置することができる。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、本発明の第１の実施形態に係るスライドレールアセンブリを示す概略図である。
【図２】図２は、本発明の第１の実施形態に係るスライドレールアセンブリの分解図である。
【図３】図３は、本発明の第１の実施形態に係る、家具システムに適用されたスライドレールアセンブリを示す図であり、スライドレールアセンブリの第２のレールはスライドレールアセンブリの第１のレールに対して伸長位置に位置する。
【図４】図４は、本発明の第１の実施形態に係る、スライドレールアセンブリの第１のレールに対して引っ込められたスライドレールアセンブリの第２のレールを示す図である。
【図５】図５は、本発明の第２の実施形態に係るスライドレールアセンブリの分解図である。
【図６】図６は、本発明の第２の実施形態に係る、スライドレールアセンブリの第２のレールに取り付けられた調節装置を示す図であり、調節装置は第１の状態にある。
【図７】図７は、本発明の第２の実施形態に係る、第２の状態にある調節装置を示す図である。
【図８】図８は、本発明の第２の実施形態に係る、第３の状態にある調節装置を示す図である。
【図９】図９は、本発明の第２の実施形態に係る、家具システムに適用されたスライドレールアセンブリを示す図であり、スライドレールアセンブリの第２のレールはスライドレールアセンブリの第１のレールに対して伸長位置に位置する。
【図１０】図１０は、本発明の第２の実施形態に係る、スライドレールアセンブリの第１のレールに対して引っ込められたスライドレールアセンブリの第２のレールを示す図である。
【図１１】図１１は、本発明の第２の実施形態に係る、スライドレールアセンブリの第１のレールに対して引っ込められたスライドレールアセンブリの第２のレールを示す図であり、調節装置は第２の状態にある。
【図１２】図１２は、本発明の第２の実施形態に係る、スライドレールアセンブリの第１のレールに対して引っ込められたスライドレールアセンブリの第２のレールを示す図であり、調節装置は第３の状態にある。
【発明を実施するための形態】
【００１２】
図１及び図２に示すように、本発明の一実施形態に係るスライドレールアセンブリ２０は、第１のレール２２と、第２のレール２４と、ブロック構造２６と、ベース２８とを含む。加えて、スライドレールアセンブリ２０はフィッティング部材をさらに含む。本実施形態では、フィッティング部材をブロック部材３０として示している。
【００１３】
第１のレール２２は、レール２２ａと、延長部２２ｂと、垂直部２２ｃとを有する。延長部２２ｂは、レール２２ａと垂直部２２ｃとの間に接続されている。ブロック構造２６は、第１のレール２２及び第２のレール２４の一方に配置されている。以下では、ブロック構造２６が第１のレール２２の延長部２２ｂに配置されている場合を一例として説明する。ブロック構造２６は突起又はブロック壁であり得る。第１のレール２２は前部２３ａ及び後部２３ｂをさらに有する。ブロック構造２６は、第１のレール２２の前部２３ａに隣接して配置され、レール２２ａ、延長部２２ｂ及び垂直部２２ｃによって囲まれる空間内に位置する。
【００１４】
第２のレール２４は、第１のレール２２に対して長手方向に移動可能である。スライドレールアセンブリ２０は、第２のレール２４と第１のレール２２（のレール２２ａ）との間に移動可能に取り付けられる第３のレール３２をさらに含むことが好ましい。第３のレール３２は第１のレール２２に対する第２のレール２４の移動距離を延ばすように構成されている。第２のレール２４は前部２５ａ及び後部２５ｂを有する。図１に示すように、第２のレール２４は第１のレール２２に対して伸長位置Ｅに位置している。
【００１５】
ベース２８は、第１のレール２２及び第２のレール２４のうちの他方に接続される。以下では、ベース２８が第２のレール２４に接続されている場合を一例として説明する。ベース２８は、第２のレール２４に固定接続することができる。あるいは、ベース２８は第２のレール２４に取り外し可能に接続することができる。ベース２８が第２のレール２４に接続されている場合、ベース２８は第２のレール２４の一部と見なされる。ベース２８は、レール２４の前部２５ａに接続されるとともに前部２５ａに隣接することが好ましい。ベース２８は長手方向に沿って配置されるとともに、ベース２８は接続部３４及び複数の壁を含むことが好ましい。本実施形態では、複数の壁は第１の壁３６ａ、第２の壁３６ｂ及び第３の壁３６ｃである。接続部３４は第１の壁３６ａに接続されている。第１の壁３６ａ、第２の壁３６ｂ及び第３の壁３６ｃは接続部３４を通じて第２のレール２４の側部３８に接続されている。第１の壁３６ａ、第２の壁３６ｂ及び第３の壁３６ｃは互いに対して屈曲されている。第１の壁３６ａ、第２の壁３６ｂ及び第３の壁３６ｃによって空間Ｓが定義され、空間Ｓは、ブロック部材３０が取り外し可能に取り付けられるように構成されている。第１の壁３６ａ、第２の壁部３６ｂ、第３の壁部３６ｃによって非円形の輪郭が形成され、空間Ｓは非円形の輪郭によって定義されることが好ましい。
【００１６】
ブロック部材３０はベース２８に取り外し可能に取り付けられる。例えば、ブロック部材３０は、空間Ｓ内に取り付けられるように構成された第１の部分３０ａを含む。ブロック部材３０は、第１の部分３０ａに接続される第２の部分３０ｂをさらに含むことが好ましい。第２の部分３０ｂの大きさは、第１の部分３０ａの大きさ及び空間Ｓの大きさよりも大きい。第１の部分３０ａが空間Ｓに取り付けられた場合、第２の部分３０ｂはベース２８の空間Ｓの外に位置する。ブロック部材３０は、プラスチック材料又は弾性材料等の非金属材料でできていることが好ましい。
【００１７】
図３に示すように、スライドレールアセンブリ２０は家具システムに適用可能である。家具システムは第１の家具部材４０（キャビネット等）及び第２の家具部材４２（引き出し等）を含む。第２の家具部材４２は、前面板４２ａを有する。第１のレール２２は第１の家具部材４０に固定取り付けされ、第１の家具部材４０の一部とみなすことができる。他方、第２のレール２４は第２の家具部材４２の底部を保持するように構成され、第２の家具部材４２の一部とみなすことができる。第２のレール２４が第１のレール２２に対して伸長位置Ｅに位置する場合、ブロック部材３０とブロック構造２６との間に所定の距離がある。
【００１８】
図３及び図４に示すように、第１の種類のユーザーの要望では、第２のレール２４が第１のレール２２に対して引っ込められている場合、ブロック部材３０（フィッティング部材としても知られる）がベース２８に取り付けられることで、第２のレール２４が実質的に同じ位置に位置するようにできるか又は騒音を減らすことができる。
【００１９】
具体的には、ブロック部材３０がベース２８に取り付けられ、第２のレール２４が第１のレール２２に対して伸長位置Ｅから方向Ｄに沿って引っ込められている場合（例えば、第２のレール２４が第１のレール２２に対して完全に引っ込められている場合）、ブロック部材３０（第２の部分３０ｂ等）がブロック構造２６に当接することを通じて第２のレール２４を１つの所定の長手方向位置（即ち、１つの深さ位置）に位置するようにすることができる。本実施形態において、第２のレール２４は、第１の長手方向位置Ｐ１に位置する。即ち、第２のレール２４が伸長位置Ｅから方向Ｄに沿って第１のレール２２に対して引っ込められている場合（例えば、第２のレール２４が第１のレール２２に対して完全に引っ込められている場合）、第２のレール２４はブロック部材３０（第２の部分３０ｂ等）がブロック構造２６に当接することを通じて第１のレール２２に対して第１の長手方向位置Ｐ１に実質的に位置することができる。ブロック部材３０はプラスチック材料又は弾性材料でできているため、ブロック部材３０は、ブロック部材３０がブロック構造２６に当接した場合（即ち、第２のレール２４が第１のレール２２に対して引っ込められ、第１の長手方向位置Ｐ１に位置する場合）に騒音を低減するか又は制動効果を提供できる。
【００２０】
図５及び図６に示すように、第２の種類のユーザーの要望では、深さ調整が可能な家具システム又はスライドレールアセンブリ２０が望ましいか又は第１のレール２２（又は第１の家具部材４０）と第２のレール２４（又は第２の家具部材４２）との間の許容誤差の問題を解消するための調節機構が望ましい。上記のフィッティング部材は、ベース２８に選択的に取り付け可能な調節装置４４であり得る。
【００２１】
具体的には、ブロック部材３０が既にベース２８に取り付けられている場合、先ず、ベース２８からブロック部材３０を取り外し、その後に調節装置４４をベース２８に取り付けることができる。即ち、上述した２つの種類の要望に応じて、ブロック部材３０及び調節装置４４のそれぞれをベース２８に取り付けることができる。ブロック部材３０及び調節装置４４は同じ位置に取り付けられる。調節装置４４は取り付け部材４６及び調節部材４８を含む。取り付け部材４６及び調節部材４８は互いに調整可能に接続される。例えば、取り付け部材４６及び調節部材４８とは互いにネジ留めされる。取り付け部材４６はベース２８の空間Ｓ内に収容されて取り付けられ、取り付け部材４６は第１のネジ部５０を有する。他方、調節部材４８は本体部４８ａを含む。調節部材４８は、本体部４８ａに接続される頭部４８ｂをさらに含み、頭部４８ｂの大きさは本体部４８ａの大きさよりも大きい。調節部材４８が、第２のネジ部４８ｃを通じて取り付け部材４６の第１のネジ部５０にネジ留めされている場合、頭部４８ｂはベース２８の空間Ｓの外に位置する。調節可能に取り付け部４６に接続された調節部材４８を通じて、調節装置４４の長さ（長手方向の長さ）を調整できるように取り付け部材４６に対する調節部材４８の位置を調節することができる。なお、スライドレールアセンブリ２０の他の関連部分の構成（例えば、第１のレール２２、第２のレール２４、ブロック構造２６及びベース２８の構成）は上述したため、それらに関する説明は簡略化のために省略する。
【００２２】
図６に示すように、ベース２８は第２のレール２４の前部２５ａに接続されるとともに前部２５ａに隣接する。調節部材４８が取り付け部材４６に対してまだ調節されていない場合、調節装置４４はベース２８を第１の長さＬ１伸長させる。その間、調節部材４８は取り付け部材４６に対して所定の位置に、例えば第２の長手方向位置Ｐ２に位置する。
【００２３】
図７に示すように、調節部材４８を取り付け部材４６に対して時計回りに回転させると、調節装置４４は、ベース２８を第２の長さＬ２伸長するように調節される。その間、調節部材４８は取り付け部材４６に対して別の位置に、例えば第３の長手方向位置Ｐ３に位置する。
【００２４】
図８に示すように、調節部材４８を取り付け部材４６に対して反時計回りに回転させると、調節装置４４はベース２８を第３の長さＬ３伸長するように調節される。その間、調節部材４８は取り付け部材４６に対して別の位置に、例えば第４の長手方向位置Ｐ４に位置する。
【００２５】
第２の長手方向位置Ｐ２、第３の長手方向位置Ｐ３及び第４の長手方向位置Ｐ４は別々の位置であり、第１の長さＬ１、第２の長さＬ２及び第３の長さＬ３は別々の長さである。
【００２６】
図９及び図１０に示すように、調節装置４４がベース２８に取り付けられ、調節部材４８が取り付け部材４６又はベース２８に対して調節されていない場合（図示しないが、例えばベース２８が調節部材４８に対応するネジ部を有することができる）、調節装置４４は上述した第１の長さＬ１を有する。この状態において、第２のレール２４が伸長位置Ｅから方向Ｄに沿って第１のレール２２に対して引っ込められている場合（例えば第２のレール２４が第１のレール２２に対して完全に引っ込められている場合）、調節部材４８の頭部４８ｂは、第２のレール２４が第１のレール２２に対して長手方向位置に、例えば上述した第２の長手方向位置Ｐ２に位置するように（図１０に示すように）ブロック構造２６に当接する。
【００２７】
図１１に示すように、調節部材４８が取り付け部材４６又はベース２８に対して調節されている場合、調節装置４４は前述した第２の長さＬ２を有する。この状態において、第２のレール２４が伸長位置Ｅから方向Ｄに沿って第１のレール２２に対して引っ込められている場合（例えば、第２のレール２４が第１のレール２２に対して完全に引っ込められている場合）、調節部材４８の頭部４８ｂは、第２のレール２４が第１のレール２２に対して別の長手方向位置に、例えば第３の長手方向位置Ｐ３に位置するようにブロック構造２６に当接する。
【００２８】
図１２に示すように、調節部材４８は、前述した第３の長さＬ３を有するように取り付け部材４６又はベース２８に対して調節される。この状態において、第２のレール２４が伸長位置Ｅから方向Ｄに沿って第１のレール２２に対して引っ込められている場合（例えば、第２のレール２４が第１のレール２２に対して完全に引っ込められている場合）、調節部材４８の頭部４８ｂは、第２のレール２４が、第１のレール２２に対してさらに別の長手方向位置に、例えば第４の長手方向位置Ｐ４に位置するようにブロック構造２６に当接する。
【００２９】
調節装置４４の長さは調節可能であり、調節装置４４はブロック構造２６に当接可能であることが分かる。そのため、第２のレール２４が第１のレール２２に対して引っ込められた場合、第２のレール２４は第１の長手方向位置Ｐ１、第２の長手方向位置Ｐ２、第３の長手方向位置Ｐ３及び第４の長手方向位置Ｐ４等の異なる長手方向位置（異なる深さ位置）に位置することができる。なお、第２の種類の要望において、調節装置４４が所定の長さ（例えば、第１の長さＬ１）を有するように調節装置４４の調節部材４８が取り付け部材４６に対してまだ調整されておらず、第２のレール２４が伸長位置Ｅから方向Ｄに沿って第１のレール２２に対して引っ込められている場合（例えば、第２のレール２４が第１のレール２２に対して完全に引っ込められている場合）、調節部材４８の頭部４８ｂは、第２のレール２４が第１のレール２２に対して同じ長手方向位置に、例えば第２の長手方向位置Ｐ２に位置するようにブロック構造２６に当接する。即ち、第２のレール２４が第１のレール２２に対して引っ込められている場合に第２のレール２４が第２のレール２４とは異なる別の長手方向位置（例えば、第３の長手方向位置Ｐ３又は第４の長手方向位置Ｐ４）に位置することを可能にするためには調節部材４８を調節する必要がある。
【００３０】
したがって、本発明の実施形態は以下の特徴を含む。
【００３１】
１）ユーザーはブロック部材３０（取り付け部材）をスライドレールに取り付けて、該スライドレールが他のスライドレールに対して実質的に同じ位置に位置するようでき、さらにスライドレールと他のスライドレールとの間の衝撃の騒音を低減することができる。あるいは、ユーザーは、調節装置４４（フィッティング部材）をスライドレールに取り付けて、調節装置４４の長さの調節に対応してスライドレールが他のスライドレールに対して別の位置に位置することができるようにすることを選択できる。そのため、スライドレールアセンブリは異なる要望を満たすことができる。
【００３２】
２）家具システムの第２の家具部材４２（又は第２のレール２４）は、調節装置４４の長さの調節及び調節装置４４がブロック構造２６に当接することに対応して第１の家具部材４０（又は第１のレール２２）に対して引っ込められている場合に異なる深さ位置に位置することができる。したがって、本発明の実施形態の簡素な構造及び構成は市場における特定の動作的な要求を満たす。
【００３３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３４】
２０  スライドレールアセンブリ
２２  第１のレール
２４  第２のレール
２６  ブロック構造
２８  ベース
３０  ブロック部材
３２  第３のレール
３４  接続部
３６ａ、３６ｂ、３６ｃ  壁
３８  側部
４０  第１の家具部材
４２  第２の家具部材
４４  調節装置
４６  取り付け部材
４８  調節部材
５０  ネジ部
【図１】
2019146952.tif 000003
【図２】
2019146952.tif 000004
【図３】
2019146952.tif 000005
【図４】
2019146952.tif 000006
【図５】
2019146952.tif 000007
【図６】
2019146952.tif 000008
【図７】
2019146952.tif 000009
【図８】
2019146952.tif 000010
【図９】
2019146952.tif 000011
【図１０】
2019146952.tif 000012
【図１１】
2019146952.tif 000013
【図１２】
2019146952.tif 000014